(57)【要約】【課題】人体の衛生状態を確保しつつ人体洗浄ノズル装置を清潔に保つことができる衛生洗浄装置を提供することである。【解決手段】人体洗浄時には洗浄水がおしりノズルおよびビデノズルより人体の被洗浄面に噴出される。一方、自動開閉便蓋装置５６０に取り付けられたホールＩＣ５１３ａ，５１３ｂにより衛生洗浄装置の使用状態が検知され、衛生洗浄装置が未使用であることが検知された場合に制御部によりノズル洗浄用ノズルによるおしりノズルおよびビデノズルの洗浄が許可される。また、ノズル洗浄用ノズルによりおしりノズルおよびビデノズルが、高温水および蒸気を用いて洗浄される。【選択図】        図１１
2004270134.tif 000002
【特許請求の範囲】
【請求項１】
給水源から供給される洗浄水を人体に噴出する衛生洗浄装置であって、
前記洗浄水を人体に噴出する人体洗浄ノズル装置と、
前記人体洗浄ノズル装置を洗浄するノズル洗浄装置と、
前記衛生洗浄装置の使用状態を検知する状態検知手段と、
前記状態検知手段により前記衛生洗浄装置が未使用であることが検知された場合に前記ノズル洗浄装置による人体洗浄ノズル装置の洗浄を許可する制御手段とを備えたことを特徴とする衛生洗浄装置。
【請求項２】
前記ノズル洗浄装置は、前記人体洗浄ノズル装置を蒸気で洗浄することを特徴とする請求項１記載の衛生洗浄装置。
【請求項３】
前記ノズル洗浄装置は、前記人体洗浄ノズル装置を加熱された洗浄水で洗浄することを特徴とする請求項１または２記載の衛生洗浄装置。
【請求項４】
前記ノズル洗浄装置は、前記人体洗浄ノズル装置を蒸気または加熱された洗浄水および非加熱の洗浄水で洗浄することを特徴とする請求項１〜３のいずれかに記載の衛生洗浄装置。
【請求項５】
前記ノズル洗浄装置は、
洗浄水を加熱する加熱装置と、
前記加熱装置により加熱された洗浄水または蒸気を前記人体洗浄ノズル装置に噴出する噴出装置とを含むことを特徴とする請求項１〜４のいずれかに記載の衛生洗浄装置。
【請求項６】
前記ノズル洗浄装置は、
前記加熱装置に供給する洗浄水の流量を調整する流量調整手段をさらに備え、
前記流量調整手段は、洗浄水の流量の調整により前記噴出装置から洗浄水を気体状態および／または液体状態で噴出させることを特徴とする請求項５記載の衛生洗浄装置。
【請求項７】
前記人体が着座するための便座をさらに備え、
前記状態検知手段は、前記便座上への人体の着座の有無を検知する着座検知手段を含むことを特徴とする請求項１〜６のいずれかに記載の衛生洗浄装置。
【請求項８】
前記着座検知手段は、前記便座上の人体の有無を光学的に検知する光学的検知手段を含むことを特徴とする請求項７記載の衛生洗浄装置。
【請求項９】
前記着座検知手段は、前記便座上の人体の有無を前記便座への荷重により検知する荷重検出手段を含むことを特徴とする請求項７または８記載の衛生洗浄装置。
【請求項１０】
便蓋をさらに備え、
前記状態検知手段は、
前記便蓋の開閉を検知する便蓋開閉検知手段を含むことを特徴とする請求項１〜９のいずれかに記載の衛生洗浄装置。
【請求項１１】
前記ノズル洗浄装置の洗浄動作の開始を指示するための洗浄指示手段と、
前記人体洗浄ノズル装置の洗浄動作を制御する制御手段とをさらに備え、
前記制御手段は、前記洗浄指示手段からの洗浄動作の開始の指示に応答して前記人体洗浄ノズル装置を動作させることを特徴とする請求項１〜１０のいずれかに記載の衛生洗浄装置。
【請求項１２】
前記洗浄指示手段は、
遠隔操作方式により前記洗浄動作の開始を前記制御手段に指示する遠隔操作装置を含むことを特徴とする請求項１１記載の衛生洗浄装置。
【請求項１３】
前記洗浄指示手段を無効にするための無効化手段をさらに備え、
前記洗浄指示手段は、前記無効化手段の操作により前記ノズル洗浄装置の洗浄動作の開始の指示が無効となることを特徴とする請求項１１または１２記載の衛生洗浄装置。
【請求項１４】
前記ノズル洗浄装置による洗浄動作の終了後に洗浄動作が終了したこと報知する報知手段をさらに備えたことを特徴とする請求項１〜１３のいずれかに衛生洗浄装置。
【発明の詳細な説明】
【０００１】
【発明の属する技術分野】
本発明は、人体の局部を洗浄する衛生洗浄装置に関する。
【０００２】
【従来の技術】
人体の局部を洗浄する衛生洗浄装置においては、衛生洗浄装置自体の衛生状態を確保するため、各種機能が案出されてきた。例えば、人体の局部を洗浄する洗浄ノズル（以下、人体洗浄ノズルと呼ぶ。）をさらに洗浄する機能等である。
【０００３】
人体洗浄ノズルを洗浄する機能によれば、人体の局部の洗浄により人体洗浄ノズル自体に付着する汚れが洗浄される（特許文献１参照）。これにより、使用者は、清潔な人体洗浄ノズルから噴出される洗浄水で局部を洗浄することができる。
【０００４】
【特許文献１】
特開平８−９３０３４号公報
【０００５】
【発明が解決しようとする課題】
しかしながら、上記の衛生洗浄装置では、人体の局部の洗浄の前後に人体洗浄ノズルの洗浄を行う。この場合、人体洗浄ノズルの洗浄時に使用する洗浄水が便座に着座している使用者の被洗浄部に付着する可能性があるため、衛生上好ましくない。
【０００６】
本発明の目的は、人体の衛生状態を確保しつつ人体洗浄ノズル装置を清潔に保つことができる衛生洗浄装置を提供することである。
【０００７】
【課題を解決するための手段】
前記従来の課題を解決するために、本発明の衛生洗浄装置は、状態検知手段により衛生洗浄装置が未使用であることが検知された場合にノズル洗浄装置による人体洗浄ノズル装置の洗浄を許可する制御手段とを備えたものである。
【０００８】
これによって、状態検知手段により衛生洗浄装置の使用状態が検知され、衛生洗浄装置が未使用であることが検知された場合に制御手段によりノズル洗浄装置による人体洗浄ノズルの洗浄が許可される。
【０００９】
【発明の実施の形態】
請求項１に記載の発明は、給水源から供給される洗浄水を人体に噴出する衛生洗浄装置であって、洗浄水を人体に噴出する人体洗浄ノズル装置と、人体洗浄ノズル装置を洗浄するノズル洗浄装置と、衛生洗浄装置の使用状態を検知する状態検知手段と、状態検知手段により衛生洗浄装置が未使用であることが検知された場合にノズル洗浄装置による人体洗浄ノズル装置の洗浄を許可する制御手段とを備えたものである。
【００１０】
本発明に係る衛生洗浄装置においては、洗浄水が人体洗浄ノズル装置により人体に噴出される。また、ノズル洗浄装置により人体洗浄ノズル装置が洗浄される。そして、状態検知手段により衛生洗浄装置の使用状態が検知され、衛生洗浄装置が未使用であることが検知された場合に制御手段によりノズル洗浄装置による人体洗浄ノズルの洗浄が許可される。
【００１１】
この場合、衛生洗浄装置が未使用であることが検知された場合にノズル洗浄装置による人体洗浄ノズル装置の洗浄が許可されるので、衛生洗浄装置の使用時に、ノズル洗浄装置による洗浄水が人体に付着することが防止される。それにより、人体の衛生状態を確保しつつ人体洗浄ノズル装置を清潔に保つことができる。
【００１２】
請求項２に記載の発明は、請求項１記載の衛生洗浄装置の構成において、ノズル洗浄装置は、人体洗浄ノズル装置を蒸気で洗浄するものである。
【００１３】
この場合、人体洗浄ノズル装置が高温の蒸気に晒されることにより、人体洗浄ノズル装置に付着した汚れが容易に除去されるとともに、除菌効果が得られる。また、蒸気の拡散性により高温での除菌範囲が拡大する。
【００１４】
衛生洗浄装置の使用時には、蒸気による人体洗浄ノズル装置の高温での洗浄動作が許可されないので、衛生洗浄装置の使用時に、高温の蒸気が人体に付着することが防止される。それにより、安全性を確保しつつ人体洗浄ノズル装置を清潔に保つことができる。
【００１５】
請求項３に記載の発明は、請求項１または２記載の衛生洗浄装置の構成において、ノズル洗浄装置は、人体洗浄ノズル装置を加熱された洗浄水で洗浄するものである。
【００１６】
この場合、人体洗浄ノズル装置が加熱された洗浄水で洗い流されることにより、人体洗浄ノズル装置に付着した汚れが容易に除去されるとともに、除菌効果が得られる。また、衛生洗浄装置の使用時には、加熱された洗浄水による人体洗浄ノズル装置の高温での洗浄動作が許可されないので、衛生洗浄装置の使用時に、高温の洗浄水が人体に付着することが防止される。それにより、安全性を確保しつつ人体洗浄ノズルを清潔に保つことができる。
【００１７】
請求項４に記載の発明は、請求項１〜３のいずれかに記載の衛生洗浄装置の構成において、ノズル洗浄装置は、人体洗浄ノズル装置を蒸気または加熱された洗浄水および非加熱の洗浄水で洗浄するものである。
【００１８】
この場合、人体洗浄ノズル装置が蒸気または加熱された洗浄水で洗い流された後、非加熱の洗浄水で洗浄されることにより、蒸気または加熱された洗浄水により除菌された人体洗浄ノズル装置の温度を低下させることができるため、使用者に、高温の洗浄水が噴出されることを防止することができる。また、雑菌の繁殖を抑制することができる。
【００１９】
請求項５に記載の発明は、請求項１〜４のいずれかに記載の衛生洗浄装置の構成において、ノズル洗浄装置は、洗浄水を加熱する加熱装置と、加熱装置により加熱された洗浄水または蒸気を人体洗浄ノズル装置に噴出する噴出装置とを含むものである。
【００２０】
この場合、加熱装置により瞬間的に洗浄水が加熱されることにより、加熱された洗浄水または蒸気が発生され、噴出装置から人体洗浄ノズル装置に噴出される。それにより、人体洗浄ノズル装置が高温の洗浄水または蒸気により洗浄される。
【００２１】
請求項６に記載の発明は、請求項５記載の衛生洗浄装置の構成において、ノズル洗浄装置は、加熱装置に供給する洗浄水の流量を調整する流量調整手段をさらに備え、流量調整手段は、洗浄水の流量の調整により噴出装置から洗浄水を気体状態および／または液体状態で噴出させるものである。
【００２２】
この場合、加熱装置に供給する洗浄水の流量が調整されることにより、噴出装置から洗浄水が気体状態および／または液体状態で噴出される。したがって、洗浄水の流量の調整により容易に物性の異なる洗浄水で人体洗浄ノズル装置を洗浄することができる。
【００２３】
請求項７に記載の発明は、請求項１〜６のいずれかに記載の衛生洗浄装置の構成において、人体が着座するための便座をさらに備え、状態検知手段は、便座上への人体の着座の有無を検知する着座検知手段を含むものである。
【００２４】
この場合、着座検知手段により便座上への人体の着座の有無が検知される。それにより、人体が便座に着座していない場合にノズル洗浄装置から人体洗浄ノズル装置に加熱された洗浄水または蒸気を噴出することができる。したがって、安全性を確保することができる。
【００２５】
請求項８に記載の発明は、請求項７記載の衛生洗浄装置の構成において、着座検知手段は、便座上の人体の有無を光学的に検知する光学的検知手段を含むものである。
【００２６】
この場合、光学的検出手段により便座上の人体の有無を光学的に検知できる。したがって、人体が便座に着座していない場合にノズル洗浄装置から人体洗浄ノズル装置に加熱された洗浄水または蒸気を噴出することができる。
【００２７】
請求項９に記載の発明は、請求項７記載の衛生洗浄装置の構成において、着座検知手段は、便座上の人体の有無を便座への荷重により検知する荷重検出手段を含むものである。
【００２８】
この場合、荷重検出手段により便座上の人体の有無が検知される。それにより、人体が便座に着座していない場合にノズル洗浄装置より加熱された洗浄水または蒸気が噴出される。
【００２９】
請求項１０に記載の発明は、請求項１〜９のいずれかに記載の衛生洗浄装置の構成において、便蓋をさらに備え、状態検知手段は、便蓋の開閉を検知する便蓋開閉検知手段を含むものである。
【００３０】
この場合、便蓋開閉検知手段により便蓋の開閉が検知される。それにより、便蓋が閉じている場合にノズル洗浄装置から人体洗浄ノズル装置に加熱された洗浄水または蒸気を噴出することができる。したがって、安全性を確保することができる。
【００３１】
請求項１１に記載の発明は、請求項１〜１０のいずれかに記載の衛生洗浄装置の構成において、ノズル洗浄装置の洗浄動作の開始を指示するための洗浄指示手段と、人体洗浄ノズル装置の洗浄動作を制御する制御手段とをさらに備え、制御手段は、洗浄指示手段からの洗浄動作の開始の指示に応答して人体洗浄ノズル装置を動作させるものである。
【００３２】
この場合、使用者は、洗浄指示手段の操作により任意の時期に人体洗浄ノズル装置を洗浄することができる。
【００３３】
請求項１２に記載の発明は、請求項１１記載の衛生洗浄装置の構成において、洗浄指示手段は、遠隔操作方式により洗浄動作の開始を制御手段に指示する遠隔操作装置を含むものである。
【００３４】
この場合、使用者は、遠隔操作装置の操作により任意の時期に人体洗浄ノズル装置を洗浄することができるとともに操作性が向上する。
【００３５】
請求項１３に記載の発明は、請求項１１または１２記載の衛生洗浄装置の構成において、洗浄指示手段を無効にするための無効化手段をさらに備え、洗浄指示手段は、無効化手段の操作によりノズル洗浄装置の洗浄動作の開始の指示が無効となるものである。
【００３６】
この場合、無効化手段の操作によりノズル洗浄装置の洗浄動作の開始の指示が無効となることにより、子供によるいたずら防止および誤操作防止が可能となる。
【００３７】
請求項１４に記載の発明は、請求項１〜１３のいずれかに記載の衛生洗浄装置の構成において、ノズル洗浄装置による洗浄動作の終了後に洗浄動作が終了したこと報知する報知手段をさらに備えたものである。
【００３８】
この場合、ノズル洗浄装置による洗浄動作が終了した後に洗浄動作の終了が報知されるので、使用者は、洗浄動作の終了が報知されるまで、洗浄動作が継続していることを認識することができる。それにより、洗浄動作の継続中に、使用者が誤って人体洗浄ノズル装置から洗浄水を噴出させることおよび誤って人体洗浄ノズル装置から噴出された洗浄水に触れることが防止される。したがって、安全性を確保しつつ人体洗浄ノズル装置を清潔に保つことができる。
【００３９】
【実施例】
以下、本発明の実施例の衛生浄装置について図１〜図１６に基づき説明する。
【００４０】
図１は本発明の一実施例の衛生洗浄装置を便器に装着した状態を示す斜視図である。
【００４１】
図１に示すように、便器６００上に衛生洗浄装置１００が装着される。タンク７００は、水道配管に接続されており、便器６００内に洗浄水を供給する。
【００４２】
衛生洗浄装置１００は、本体部２００、遠隔操作装置３００、便座部４００および蓋部５００により構成される。
【００４３】
本体部２００には、便座部４００および蓋部５００が開閉自在に取り付けられる。さらに、本体部２００には、ノズル部３０を含む洗浄水供給機構、着座センサ５１、後述する自動開閉便座システムが設けられるとともに、制御部が内蔵されている。着座センサ５１は、赤外線を用いて便座部４００上に使用者の有無を検知する。また、自動開閉便座システムのホールＩＣは、ホール効果を用いて便座部４００上に使用者の有無を検知する。さらに、便座部４００の下面には、荷重により便座部４００上に使用者の有無を検知する便座スイッチ５５が設けられる。
【００４４】
本実施例では、後述するように、制御部がホールＩＣを用いて衛生洗浄装置１００の使用状態を検知する。なお、制御部が着座センサ５１または便座スイッチ５５を用いて衛生洗浄装置１００の使用状態を検知してもよい。
【００４５】
本体部２００の制御部は、後述するホールＩＣ、便座スイッチ５５、着座センサ５１からの信号および後述する遠隔操作装置３００により送信される信号に基づいて、洗浄水供給機構を制御する。さらに、本体部２００の制御部は、便座部４００に内蔵されたヒータ（図示せず）、本体部２００に設けられた脱臭装置（図示せず）および温風供給装置（図示せず）等の制御も行う。
【００４６】
図２は、図１の遠隔操作装置の一例を示す模式的平面図である。遠隔操作装置３００は、表示パネル３０１、調整スイッチ３０２、おしりスイッチ３０３、停止スイッチ３０５、ビデスイッチ３０６、乾燥スイッチ３０７、ノズル洗浄スイッチ３０９、スピーカ３１０、報知ランプ３１１およびチャイルドロックスイッチ３１２を備える。
【００４７】
使用者により調整スイッチ３０２、おしりスイッチ３０３、停止スイッチ３０５、ビデスイッチ３０６、乾燥スイッチ３０７、ノズル洗浄スイッチ３０９およびチャイルドロックスイッチ３１２が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００４８】
例えば、使用者が、おしりスイッチ３０３またはビデスイッチ３０６を押下操作することにより図１の本体部２００のノズル部３０が移動して洗浄水が噴出する。停止スイッチ３０５を押下操作することによりノズル部３０からの洗浄水の噴出が停止する。
【００４９】
また、チャイルドロックスイッチ３１２を押下操作することにより、遠隔操作装置３００から後述の制御部に送信される所定の信号が無効とされる。一度チャイルドロックスイッチ３１２が押下操作された場合、所定の操作を行うことにより後述の制御部に送信される所定の信号が有効とされる。この所定の操作とは、例えば、チャイルドロックスイッチ３１２を３秒以上押下操作すること、またはチャイルドロックスイッチ３１２と他のスイッチを同時に押下操作する場合等がある。
【００５０】
さらに、ノズル洗浄スイッチ３０９を押下操作することにより、後述するノズル部３０のおしりノズルおよびビデノズルが洗浄される（以下、ノズル洗浄と呼ぶ）。ノズル洗浄動作の詳細については後述する。乾燥スイッチ３０７を押下操作することにより人体の局部に対して衛生洗浄装置１００の温風供給装置（図示せず）より温風が噴出される。
【００５１】
調整スイッチ３０２は水勢調整スイッチ３０２ａ，３０２ｂを含む。使用者が、水勢調整スイッチ３０２ａ，３０２ｂを押下操作することにより、ノズル部３０より噴出される洗浄水の圧力が変化する。また、水勢調整スイッチ３０２ａ，３０２ｂの押下操作に伴って表示パネル３０１の棒グラフ状の点灯表示が変化する。
【００５２】
以下、本発明の一実施例の衛生洗浄装置１００の本体部２００について説明を行う。図３は本発明の一実施例の衛生洗浄装置１００の本体部２００の構成を示す模式図である。
【００５３】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ，１２ｃ、着座センサ５１、便座スイッチ５５、ホールＩＣ５１３ａ，５１３ｂ、ポンプ１３、切替弁１４、瞬間加熱装置３３およびノズル部３０を含む。また、ノズル部３０は、おしりノズル１、ビデノズル２およびノズル洗浄用ノズル３を含み、瞬間加熱装置３３は、サーミスタ３３ａ、サーミスタ３３ｂおよび温度ヒューズ（図示せず）を備える。
【００５４】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００５５】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００５６】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。
【００５７】
一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００５８】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００５９】
続いて、熱交換器１１は、制御部４により与えられる制御信号に基づいて、配管２０２を通して供給された洗浄水を所定の温度に加熱する。温度センサ１２ｂは、熱交換器１１により所定の温度に加熱された洗浄水の温度を測定し、制御部４に温度測定値を与える。温度センサ１２ｃは、瞬間加熱装置３３を介してノズル洗浄用ノズル３に供給された洗浄水の温度を測定し、制御部４に温度測定値を与える。
【００６０】
ポンプ１３は、熱交換器１１により加熱された洗浄水を制御部４により与えられる制御信号に基づいて、切替弁１４に圧送する。切替弁１４は、制御部４により与えられる制御信号に基づいて、ノズル部３０のおしりノズル１、ビデノズル２および瞬間加熱装置３３のいずれか１つに洗浄水を供給する。
【００６１】
ノズル部３０のおしりノズル１またはビデノズル２に洗浄水が供給された場合、おしりノズル１またはビデノズル２より洗浄水が噴出される。一方、瞬間加熱装置３３に洗浄水が供給された場合、瞬間加熱装置３３により洗浄水が加熱され、加熱された洗浄水または加熱により発生した蒸気がノズル洗浄用ノズル３に供給される。
【００６２】
以下、瞬間加熱装置３３により加熱された洗浄水をノズル洗浄用高温水と呼び、瞬間加熱装置３３の加熱により発生する蒸気をノズル洗浄用蒸気と呼ぶ。
【００６３】
ノズル洗浄用ノズル３からノズル洗浄用高温水またはノズル洗浄用蒸気がおしりノズル１またはビデノズル２に噴出される。なお、瞬間加熱装置３３においては、サーミスタ３３ａ、サーモスタット３３ｂおよび温度ヒューズにより洗浄水の過熱が防止される。
【００６４】
おしりノズル１およびビデノズル２より噴出される洗浄水の流量ならびにノズル洗浄用ノズル３より噴出されるノズル洗浄用高温水およびノズル洗浄用蒸気の流量は、切替弁１４により調整される。
【００６５】
制御部４は、図１の遠隔操作装置３００から無線送信される信号、流量センサ１０から与えられる測定流量値および温度センサ１２ａ，１２ｂ，１２ｃから与えられる温度測定値に基づき止水電磁弁９、熱交換器１１、ポンプ１３、切替弁１４および瞬間加熱装置３３に対して制御信号を与える。
【００６６】
図４（ａ）は切替弁１４の縦断面図であり、図４（ｂ）は図４（ａ）の切替弁１４のＡ−Ａ線断面図であり、図４（ｃ）は図４（ａ）の切替弁１４のＢ−Ｂ線断面図であり、図４（ｄ）は図４（ａ）の切替弁１４のＣ−Ｃ線断面図である。
【００６７】
図４に示す切替弁１４は、モータ１４１、内筒１４２および外筒１４３により構成される。
【００６８】
外筒１４３内に内筒１４２が挿入され、モータ１４１の回転軸が内筒１４２に取り付けられている。モータ１４１は、制御部４により与えられる制御信号に基づいて回転動作を行う。モータ１４１が回転することにより内筒１４２が回転する。
【００６９】
図４（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図４（ｂ），（ｃ）に示すように、曲線および直線で構成される面取り部が形成され、孔１４２ｇの周辺には、図４（ｄ）に示すように、直線で構成される面取り部が形成されている。
【００７０】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００７１】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【００７２】
図５は図４の切替弁１４の動作を示す断面図である。
図５（ａ）〜（ｆ）は切替弁１４のモータ１４１がそれぞれ０度、９０度、１３５度、１８０度、２２５度および２７０度回転した状態を示す。
【００７３】
まず、図５（ａ）に示すように、モータ１４１を回転させない（０度）場合には、内筒１４２の孔１４２ｅの周囲の面取り部が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００７４】
次に、図５（ｂ）に示すように、モータ１４１が内筒１４２を９０度回転させた場合には、内筒１４２の孔１４２ｇの周囲の面取り部が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００７５】
次いで、図５（ｃ）に示すように、モータ１４１が内筒１４２を１３５度回転させた場合には、内筒１４２の孔１４２ｇの周囲の面取り部の一部が外筒１４３の洗浄水出口１４３ｅに対向するとともに、内筒１４２の孔１４２ｅの周囲の面取り部の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００７６】
次に、図５（ｄ）に示すように、モータ１４１が内筒１４２を１８０度回転させた場合には、内筒１４２の孔１４２ｅの周囲の面取り部が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００７７】
次に、図５（ｅ）に示すように、モータ１４１が内筒１４２を２２５度回転させた場合には、内筒１４２の孔１４２ｅの周囲の面取り部の一部が外筒１４３の洗浄水出口１４３ｃに対向するとともに、内筒１４２の孔１４２ｆの周囲の面取り部の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【００７８】
また、図５（ｆ）に示すように、モータ１４１が内筒１４２を２７０度回転させた場合には、内筒１４２の孔１４２ｆの周囲の面取り部が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【００７９】
以上のように、制御部４からの制御信号に基づいてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【００８０】
図６は図５の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄用ノズル３に流出する洗浄水の流量を示す図である。
【００８１】
図６の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅから瞬間加熱装置３３を介して、ノズル洗浄用ノズル３に流出する洗浄水の流量の変化を示す。
【００８２】
例えば、図６に示すように、モータ１４１が回転しない場合（０度）、洗浄水出口１４３ｂからビデノズル２に流出する洗浄水の流量Ｑ３は最大値を示す。そして、モータ１４１の回転角度が大きくなるとともに洗浄水出口１４３ｂからビデノズル２に流出する洗浄水の流量Ｑ３が減少し、洗浄水出口１４３ｅからノズル洗浄用ノズル３に流出する洗浄水の流量Ｑ４が増加する。
【００８３】
次いで、モータ１４１が９０度回転した場合、洗浄水出口１４３ｅからノズル洗浄用ノズル３に流出する洗浄水の流量Ｑ４は最大値を示す。そして、モータ１４１の回転角度がさらに大きくなるとともに洗浄水出口１４３ｅからノズル洗浄用ノズル３に流出する洗浄水の流量Ｑ４が減少し、洗浄水出口１４３ｃからおしりノズル１に流出する洗浄水の流量Ｑ１が増加する。
【００８４】
続いて、モータ１４１が１８０度回転した場合、洗浄水出口１４３ｃからおしりノズル１に流出する洗浄水の流量Ｑ１は最大値を示す。そして、モータ１４１の回転角度がさらに大きくなるとともに洗浄水出口１４３ｃからおしりノズル１に流出する洗浄水の流量Ｑ１が減少し、洗浄水出口１４３ｄからおしりノズル１に流出する洗浄水の流量Ｑ２が増加する。
【００８５】
続いて、モータ１４１が２７０度回転した場合、洗浄水出口１４３ｄからおしりノズル１に流出する洗浄水の流量Ｑ２は最大値を示す。そして、モータ１４１の回転角度がさらに大きくなるとともに洗浄水出口１４３ｄからおしりノズル１に流出する洗浄水の流量Ｑ２が減少し、洗浄水出口１４３ｂからビデノズル２に流出する洗浄水の流量Ｑ３が増加する。
【００８６】
以上のように、制御部４が切替弁１４のモータ１４１の回転角度を制御することにより洗浄水出口１４３ｂ〜１４３ｅから流出する洗浄水の流量を制御することができる。さらに、切替弁１４のモータ１４１の回転角度がいかなる場合でも、洗浄水出口１４２ｅ，１４２ｆ，１４２ｇのいずれかまたはそれらの周囲の面取り部（凹部）が洗浄水出口１４３ｂ〜１４３ｅのいずれかに対向するので、洗浄水の流路が閉塞されず、洗浄水入口１４３ａから供給された洗浄水は、洗浄水出口１４３ｂ〜１４３ｅのいずれかから流出される。
【００８７】
図７は、瞬間加熱装置３３の構造を示す一部切り欠き断面図である。図７において、瞬間加熱装置３３は、ケーシング５０４、シーズヒータ５０５、熱伝導体５０６、配管５１０、サーミスタ３３ａ、サーモスタット３３ｂおよび温度ヒューズ３３ｃを含む。
【００８８】
ケーシング５０４は略直方体形状を有する。ケーシング５０４内には配管５１０とシーズヒータ５０５とが長手方向に延びるように所定の間隔をおいて併設されており、各々の両端部はケーシング５０４の両端面から外部へ突出している。
【００８９】
ケーシング５０４内において、配管５１０およびシーズヒータ５０５は熱伝導体５０６に覆われている。シーズヒータ５０５は電熱線を内蔵し、電力が供給されることにより発熱する。
【００９０】
上述のノズル洗浄時においては、図４の切替弁１４の洗浄水出口１４３ｅから供給される洗浄水が給水口５１１から配管５１０内へ導入される。
【００９１】
シーズヒータ５０５に電力が供給されると、シーズヒータ５０５により発生する熱が熱伝導体５０６を通じて配管５１０に伝達される。これにより、配管５１０内に導入された洗浄水が加熱され、ノズル洗浄用高温水またはノズル洗浄用蒸気が排出口５１２から排出される。
【００９２】
ここで、図７において配管５１０の給水口５１１側を瞬間加熱装置３３の上流側とし、排出口５１２側を瞬間加熱装置３３の下流側とすると、サーミスタ３３ａおよびサーモスタット３３ｂは瞬間加熱装置３３の下流側に設けられている。また、温度ヒューズ３３ｃはケーシング５０４の側面に設けられている。
【００９３】
なお、本実施の形態において、サーミスタ３３ａ、サーモスタット３３ｂおよび温度ヒューズ３３ｃは、各々動作基準温度が異なる。それにより、３段階の過熱防止の調整を行うことができる。さらに、サーミスタ３３ａ、サーモスタット３３ｂおよび温度ヒューズ３３ｃの、いずれか１つが故障しても、残りの２つにより過熱が防止される。
【００９４】
サーミスタ３３ａは、シーズヒータ５０５に取り付けられ、シーズヒータ５０５の温度を検知する。制御部４は、サーミスタ３３ａから与えられるシーズヒータ５０５の温度を判定し、過熱状態にある場合、シーズヒータ５０５の温度を低下させるように制御を行う。
【００９５】
サーモスタット３３ｂは、配管５１０内を流通する洗浄水の温度を検知可能に取り付けられる。配管５１０内を流通する洗浄水の温度がサーモスタット３３ｂの動作基準温度を超過した場合、サーモスタット３３ｂは、シーズヒータ５０５の電力供給を遮断するように動作する。
【００９６】
最後に、温度ヒューズ３３ｃは、ケーシング５０４に密着固定されている。ケーシング５０４の温度が温度ヒューズ３３ｃの動作基準温度を超過した場合、温度ヒューズ３３ｃが溶断することによりシーズヒータ５０５への電力供給が遮断される。
【００９７】
以上のサーミスタ３３ａ、サーモスタット３３ｂおよび温度ヒューズ３３ｃの働きにより、シーズヒータ５０５による洗浄水の過熱およびシーズヒータ５０５自体の過熱が防止される。
【００９８】
なお、本実施例の瞬間加熱装置３３においては、洗浄水の加熱手段としてシーズヒータ５０５を用いるが、これに限らず、マイカヒータ、セラミックヒータ、またはプリントヒータ等を用いてもよい。
【００９９】
さらに、サーミスタ３３ａ、サーモスタット３３ｂおよび温度ヒューズ３３ｃの各々が瞬間加熱装置３３の過熱を防止しているが、サーミスタ３３ａまたはサーモスタット３３ｂを制御部４と接続することにより、制御部４がサーミスタ３３ａまたはサーモスタット３３ｂの温度測定値に基づいてシーズヒータ５０５の温度をフィードバック制御またはフィードフォワード制御してもよい。
【０１００】
図８は、ノズル部３０の一部を示す外観斜視図である。図８においては、円筒形状を有するおしりノズル１とビデノズル２とが隣接するように平行に設けられており、おしりノズル１およびビデノズル２の先端上部を覆うようにノズル洗浄用ノズル３が取り付けられている。
【０１０１】
ノズル洗浄用ノズル３の後端にはチューブ３ｔが接続されており、チューブ３ｔは瞬間加熱装置３３の排出口５１２に接続される。これにより、瞬間加熱装置３３からノズル洗浄用高温水またはノズル洗浄用蒸気がチューブ３ｔを通じてノズル洗浄用ノズル３に供給される。
【０１０２】
図９はおしりノズルから人体の被洗浄面に向けて洗浄水が噴出される場合のノズル部の模式的断面図であり、図１０はノズル洗浄用ノズルからノズル洗浄用高温水またはノズル洗浄用蒸気が噴出される場合のノズル部の模式的断面図である。
【０１０３】
図９および図１０において、ノズル部３０は、その全体または一部が本体部２００のケーシング内に収容されている。
【０１０４】
以下、おしりノズル１による人体の局部の洗浄をおしり洗浄と呼ぶ。
おしりノズル１は、ピストン２０、シリンダ２１およびスプリング２３から構成されている。シリンダ２１の後端面には洗浄水入口２４ａが設けられ、側部には洗浄水入口２４ｂが設けられている。ピストン２０の内部には第１の流路２０ａおよび第２の流路２０ｂが形成され、ピストン２０の先端部の上面には噴出孔２５が設けられている。
【０１０５】
おしり洗浄の開始時にシリンダ２１の洗浄水入口２４ｂから洗浄水が供給される。これにより、図９に示すように、シリンダ２１内に設けられたピストン２０がスプリング２３の弾性力に抗して本体部２００のケーシング外部へ突出する。
【０１０６】
その後、シリンダ２１の洗浄水入口２４ａ，２４ｂから洗浄水が供給される。これにより、洗浄水入口２４ａから供給された洗浄水がピストン２０の第１の流路２０ａへ導入され、回転力が与えられつつ噴出孔２５より噴出される。また、洗浄水入口２４ｂから供給された洗浄水がピストン２０の第２の流路２０ｂへ導入され、噴出孔２５より噴出される。
【０１０７】
このように、第１の流路２０ａから噴出孔２５へ送られる洗浄水には回転力が与えられるので、噴出孔２５から人体の被洗浄面に向けて噴出される洗浄水は広がり角度を有する。上述の切替弁１４を用いて第１の流路２０ａ内の洗浄水の流量と第２の流路２０ｂ内の洗浄水の流量との比を調整することにより、噴出孔２５から噴出される洗浄水の広がり角度を調整することができる。
【０１０８】
おしり洗浄の終了時においては、シリンダ２１の洗浄水入口２４ａ，２４ｂへの洗浄水の供給が停止される。それにより、図１０に示すように、ピストン２０がスプリング２３の弾性力によりシリンダ２１内に収納される。この場合、ピストン２０は、スプリング２３の弾性力によりシリンダ２１内に収納された状態で保持されるので本体部２００から突出しない。
【０１０９】
ノズル洗浄用ノズル３の後端面には洗浄水入口２４ｃが設けられ、おしりノズル１の噴出孔２５および上述のビデノズル２の噴出孔と対向するようにノズル洗浄用ノズル３の先端下面側にノズル洗浄孔２４ｄが設けられている。ノズル洗浄用ノズル３の内部には、洗浄水入口２４ｃとノズル洗浄孔２４ｄとを連通する流路２４ｅが形成されている。上述のように、洗浄水入口２４ｃはチューブ３ｔ（図８）を介して瞬間加熱装置３３の排出口５１２に接続される。
【０１１０】
ノズル洗浄時においては、瞬間加熱装置３３からノズル洗浄用ノズル３の洗浄水入口２４ｃにノズル洗浄用高温水またはノズル洗浄用蒸気が供給される。それにより、図１０に示すようにノズル洗浄用高温水またはノズル洗浄用蒸気が、流路２４ｅを通じてノズル洗浄孔２４ｄから矢印Ｊ１の方向に噴出される。
【０１１１】
ノズル洗浄用ノズル３のノズル洗浄孔２４ｄから噴出されるノズル洗浄用高温水またはノズル洗浄用蒸気は、おしりノズル１の噴出孔２５およびビデノズル２の噴出孔の周辺に噴出される。それにより、おしりノズル１の噴出孔２５またはビデノズル２の噴出孔の周囲に付着した汚れがノズル洗浄用高温水またはノズル洗浄用蒸気により剥離され、便器６００内に流される。その結果、おしりノズル１の噴出孔２５およびビデノズル２の噴出孔の周辺の洗浄および除菌が行われる。
【０１１２】
図１１は、図１の衛生洗浄装置の本体部２００に設けられた自動開閉便座システムの模式的断面図であり、図１２は、図１１の自動開閉便座システムのＤ−Ｄ線断面図である。
【０１１３】
図１１および図１２に示すように、本体部２００内には内ケース４５０が設けられている。内ケース４５０内には、自動便座開閉装置４６０および自動便蓋開閉装置５６０が設けられている。自動便座開閉装置４６０は便座開閉センサ４０１を有し、自動便蓋開閉装置５６０は便蓋開閉センサ５０１を有する。
【０１１４】
自動便蓋開閉装置５６０は、モータＭ５およびギア５０７，５０９を含む。モータＭ５の回転軸５０６が矢印Ｒ５００の方向に回転し、ギア５０７を介してギア５０９を回転させる。また、ギア５０９の回転軸５０８には、固定部８２０（図１２参照）を介して、便蓋５００が取り付けられている。それにより、ギア５０９が回転するとともに便蓋５００の開閉動作が行われる。
【０１１５】
自動便蓋開閉装置５６０のギア５０９には、永久磁石５１１ａ，５１１ｂがほぼ９０度の角度をなすように取り付けられている。便蓋５００が閉じた状態で永久磁石５１１ａ，５１１ｂに対向する位置にホールＩＣ５１３ａ，５１３ｂが設けられている。ここで、ホールＩＣ５１３ａ，５１３ｂとは、ホール効果を利用した磁気センサである。
【０１１６】
自動便座開閉装置４６０は、モータＭ４およびギア４０７，４０９を含む。モータＭ４の回転軸４０６が矢印Ｒ４００の方向に回転し、ギア４０７を介してギア４０９を回転させる。また、ギア４０９の回転軸４０８には、便座部４００が取り付けられている。それにより、ギア４０９が回転するとともに便座部４００の開閉動作が行われる。
【０１１７】
自動便座開閉装置４６０のギア４０９には、永久磁石４０９ａ，４０９ｂが９０度の角度をなすように取り付けられている。便座部４００が閉じた状態で永久磁石４０９ａ，４０９ｂに対向する位置にホールＩＣ４２０ａ，４２０ｂが設けられている。
【０１１８】
次に、図１３は、便蓋５００の自動開閉便蓋装置５６０の動作を説明する図であり、図１４は、図１３の自動開閉便蓋装置５６０の動作によりホールＩＣ５１３ａ，５１３ｂから制御部４に送信される信号を示す図である。
【０１１９】
図１３（ａ）は便蓋５００が閉じている状態（便蓋回動角度＝０度）を示し、図１３（ｂ）は便蓋５００が開いている状態（便蓋回動角度＝９０度）を示す。
【０１２０】
図１３に示すように、自動便蓋開閉装置５６０のギア５０９には、永久磁石５１１ａ，５１１ｂが互いに９０度の角度をなすように設けられている。
【０１２１】
なお、永久磁石５１１ａ，５１１ｂがなす角度は、便蓋５００の開閉角度と等しくなるとように設計されている。
【０１２２】
したがって、図１３（ａ）に示すように、便蓋５００が閉じている場合、すなわち便蓋回動角度が０度の場合、永久磁石５１１ａはホールＩＣ５１３ａと対向し、永久磁石５１１ｂはホールＩＣ５１３ｂと対向する。
【０１２３】
その結果、図１４に示すように、便蓋回動角度が０度の場合、ホールＩＣ５１３ａ，５１３ｂは、永久磁石５１１ａ，５１１ｂにより発生される磁気を検知して論理ハイ（Ｈ）の信号を制御部４に送信する。それにより、制御部４は、ホールＩＣ５１３ａ，５１３ｂからの信号に基づいて便蓋の開閉状態が閉であることを認識する。
【０１２４】
一方、自動便蓋開閉装置５６０により便蓋５００が開く場合には、自動便蓋開閉装置５６０のギア５０９が図１３の矢印Ｘの方向に回転する。それにより、ギア５０９に取り付けられた永久磁石５１１ａ，５１１ｂも矢印Ｘの方向に回動する。
【０１２５】
図１３（ｂ）に示すように、便蓋５００が開いている場合、すなわち便蓋回動角度が９０度の場合、永久磁石５１１ａはホールＩＣ５１３ｂと対向するが、永久磁石５１１ｂはホールＩＣ５１３ａと対向しない。
【０１２６】
その結果、図１４に示すように便蓋回動角度が９０度の場合、ホールＩＣ５１３ｂは、永久磁石５１１ａにより発生される磁気を検知して論理ハイ（Ｈ）の信号を制御部４に送信し、ホールＩＣ５１３ａは、永久磁石５１１ａ，５１１ｂからの磁気を検知できず論理ロー（Ｌ）の信号を制御部４に送信する。それにより、制御部４は、ホールＩＣ５１３ａ，５１３ｂからの信号に基づいて便蓋の開閉状態が開であることを認識する。
【０１２７】
次に、制御部４の動作について説明する。図１５および図１６は、制御部４の動作を示すフローチャートである。
【０１２８】
図１５に示すように、まず、制御部４は、遠隔操作装置３００よりノズル洗浄動作信号を受信したか否かを判定する（ステップＳ１０）。ここで、ノズル洗浄動作信号とは、ノズル洗浄スイッチ３０９が押下操作されることにより制御部４に送信される所定の信号である。
【０１２９】
制御部４は遠隔操作装置３００よりノズル洗浄動作信号を受信していない場合、他の信号を受信していないか否かを判定する（ステップＳ１１）。他の信号を受信した場合、制御部４はその他の信号に基づいて所定の動作を行う（ステップＳ１２）。例えば、制御部４は遠隔操作装置３００よりおしりスイッチ３０３が押下された信号を受信した場合、おしりノズル１から洗浄水を噴出させるように制御する。一方、ステップＳ１１において他の信号を受信していない場合、制御部４はステップＳ１０に戻る。
【０１３０】
次に、ステップＳ１０において遠隔操作装置３００よりノズル洗浄動作信号を受信した場合、制御部４は、ホールＩＣ５１３ａ、５１３ｂの出力信号を受信する（ステップＳ１３）。
【０１３１】
制御部４は、ホールＩＣ５１３ａ、５１３ｂの出力信号に基づいて便蓋の開閉を判定する（ステップＳ１４）。便蓋が閉じていると判定した場合、制御部４はステップＳ１３に戻る。
【０１３２】
なお、本実施例においては、ホールＩＣ５１３ａ，５１３ｂの出力信号に基づいて便蓋の開閉を判定することとしたが、これに限定されず、赤外線を用いて便座部４００上に使用者の有無を検知する着座センサ５１を用いてもよい。
【０１３３】
一方、便蓋が開いていると判定した場合、制御部４は瞬間加熱装置３３に加熱指示を送信する（ステップＳ１５）。それにより、シーズヒータ５０５から発生される熱量が増加する。
【０１３４】
さらに、制御部４は、流量調整弁１４の回転角度を指示する（ステップＳ１６）。例えば、制御部４は、図６に示す流量調整弁１４の回転角度を９０度に設定するようモータ１４１に指示する。それにより、モータ１４１が回転し、瞬間加熱装置３３の配管５１０に流量Ｑ４の洗浄水が供給される。そして、瞬間加熱装置３３の働きにより加熱されたノズル洗浄用高温水が、ノズル洗浄用ノズル３からおしりノズル１の噴出孔２５またはビデノズル２の噴出孔の周囲に噴出される。
【０１３５】
それにより、おしりノズル１の噴出孔２５またはビデノズル２の噴出孔の周囲に付着していた汚れが浮き上がり除去される。
【０１３６】
その後、制御部４は、所定時間経過したか否かを判定する（ステップＳ１７）。ステップＳ１７における所定時間とは、ノズル洗浄用高温水をおしりノズル１の噴出孔２５またはビデノズル２の噴出孔の周囲に噴出して洗浄を行うために必要な時間である。所定時間経過していない場合には、制御部４はステップＳ１７に戻り、所定時間が経過するまで待機する。
【０１３７】
一方、所定時間経過した場合、制御部４は瞬間加熱装置３３に加熱温度の上昇を指示する（ステップＳ１８）。それにより、シーズヒータ５０５から発生される熱量が増加する。
【０１３８】
さらに、制御部４は、流量調整弁１４の回転角度を指示する（ステップＳ１９）。例えば、図６の流量調整弁１４の回転角度を約１１０度に設定するようモータ１４１に指示する。それにより、モータ１４１が回転し、瞬間加熱装置３３の配管５１０に供給される洗浄水が減少する。したがって、ノズル洗浄用高温水が、ノズル洗浄用蒸気へと変移する。
【０１３９】
その結果、高温のノズル洗浄用蒸気が、ノズル洗浄用ノズル３からおしりノズル１の噴出孔２５またはビデノズル２の噴出孔の周囲に噴出される。したがって、おしりノズル１の噴出孔２５またはビデノズル２の噴出孔の周囲に固着していた雑菌や汚れが除去されるとともに除菌される。なお、本実施例におけるノズル部３０は、ノズル洗浄用蒸気またはノズル洗浄用高温水の噴出にも変形しない耐熱性の高い樹脂で形成されている。
【０１４０】
その後、制御部４は、所定時間経過したか否かを判定する（ステップＳ２０）。ステップＳ２０における所定時間とは、ノズル洗浄用蒸気をおしりノズル１の噴出孔２５またはビデノズル２の噴出孔の周囲に噴出して洗浄および除菌を行うために必要な時間である。所定時間経過していない場合には、制御部４はステップＳ２０に戻り、所定の時間が経過するまで待機する。
【０１４１】
一方、所定時間経過した場合、制御部４は瞬間加熱装置３３に加熱停止の指示を送信する（ステップＳ２１）。それにより、瞬間加熱装置３３のシーズヒータ５０５への電力供給が停止される。
【０１４２】
続いて、制御部４は、所定時間経過したか否かを判定する（ステップＳ２２）。ステップＳ２２における所定時間とは、おしりノズル１の噴出孔２５またはビデノズル２の噴出孔の周囲の温度が低下するまでに要する時間である。なお、この所定時間は外気温度に依存するため、季節等に応じて可変に設定してもよい。例えば、夏季においては４秒から６秒に設定し、冬季においては１秒から３秒に設定してもよい。
【０１４３】
所定時間経過していない場合、所定時間が経過するまで待機する。それにより、瞬間加熱装置３３により加熱されていたノズル洗浄用蒸気の温度が徐々に低下してノズル洗浄用蒸気がノズル洗浄用高温水に変移し、さらに温度が低下することにより、低温の洗浄水が瞬間加熱装置３３からノズル洗浄用ノズル３を介しておしりノズル１の噴出孔２５またはビデノズル２の噴出孔の周囲に噴出される。
【０１４４】
その結果、おしりノズル１の噴出孔２５の周辺の温度が徐々に低下する。それにより、除菌後のノズル部３０の温度を低下させることができるので、雑菌の繁殖を抑制することができる。
【０１４５】
一方、所定時間経過した場合、流量調整弁１４の回転角度を指示する（ステップＳ２３）。例えば、図６の流量調整弁１４の回転角度を約１３５度に設定するようモータ１４１に指示する。それにより、モータ１４１が回転し、瞬間加熱装置３３の配管５１０に供給される洗浄水が停止する。それにより、ノズル洗浄用ノズル３から噴出される洗浄水が停止する。
【０１４６】
続いて、制御部４は、遠隔操作装置３００の報知ランプ３１１の点灯を制御するためのランプ点灯制御信号を送信する（ステップＳ２４）。例えば、報知ランプ３１１に論理ハイ（Ｈ）と論理ロー（Ｌ）からなるパルス状のランプ点灯制御信号を送信する。報知ランプ３１１は、ランプ点灯制御信号に基づいて論理ハイの場合に点灯し、論理ローの場合に消灯する。それにより、報知ランプ３１１が点滅する。
【０１４７】
また、制御部４は、遠隔操作装置３００のスピーカ３１０に、スピーカ３１０から音の出力を制御する音出力制御信号を送信する（ステップＳ２５）。それにより、遠隔操作装置３００に設けられたスピーカ３１０より音が出力される。例えば、制御部４によりスピーカ３１０から「ノズル洗浄終了いたしました。安心してお使いください。」と音声が繰り返し出力されたり、「ピーピーピー」と音が繰り返し出力される。
【０１４８】
続いて、制御部４は所定時間経過したか否かを判定する（ステップＳ２６）。制御部４が、所定時間経過していない場合、ステップＳ２４に戻り、ステップＳ２４およびステップＳ２５の処理を繰り返し行う。このステップＳ２６における所定時間は、使用者にノズル洗浄が終了したことを報知する時間である。
【０１４９】
一方、所定時間経過した場合、制御部４は、報知ランプ３１１に報知ランプ３１１の消灯を制御するためのランプ消灯制御信号を送信する（ステップＳ２７）とともに、遠隔操作装置３００のスピーカ３１０から音の出力を停止するように制御する音停止制御信号を送信する（ステップＳ２８）。それにより、報知ランプ３１１が消灯され、スピーカ３１０から音の出力が停止される。
【０１５０】
本発明に係る衛生洗浄装置１００においては、衛生洗浄装置１００が未使用であることが着座センサ５１、ホールＩＣ５１３ａ，５１３ｂ、便座スイッチ５５により検知された場合にノズル洗浄用ノズル３によるおしりノズル１およびビデノズル２の洗浄が許可されるので、衛生洗浄装置の使用時に、ノズル洗浄用ノズル３による洗浄水が人体に付着することが防止される。それにより、使用者に十分な安心感を与えるとともに安全性を確保しつつおしりノズル１およびビデノズル２を清潔に保つことができる。さらに、おしりノズル１およびビデノズル２が高温の蒸気に晒されることにより、おしりノズル１およびビデノズル２に付着した汚れが容易に除去されるとともに、除菌効果が得られる。また、蒸気の拡散性により高温での除菌範囲が拡大する。
【０１５１】
また、おしりノズル１およびビデノズル２が蒸気または加熱された洗浄水で洗い流された後、非加熱の洗浄水で洗浄されることにより、蒸気または加熱された洗浄水により除菌されたおしりノズル１およびビデノズル２の温度を低下させることができるため、使用者に、高温の洗浄水が噴出されることを防止することができる。また、雑菌の繁殖を抑制することもできる。
【０１５２】
また、瞬間加熱装置３３により瞬間的に洗浄水が加熱されることにより、加熱された洗浄水または蒸気が発生され、ノズル洗浄用ノズル３からおしりノズル１およびビデノズル２に噴出される。それにより、おしりノズル１およびビデノズル２が高温の洗浄水または蒸気により洗浄される。さらに、瞬間加熱装置３３に供給する洗浄水の流量が調整されることにより、ノズル洗浄用ノズル３から蒸気および加熱された洗浄水が噴出される。したがって、洗浄水の流量の調整により容易に蒸気または加熱された洗浄水でおしりノズル１およびビデノズル２を洗浄することができる。
【０１５３】
また、本実施例における遠隔操作装置３００においては、遠隔操作装置３００のノズル洗浄スイッチ３０９の操作により任意の時期におしりノズル１およびビデノズル２を洗浄することができるとともに操作性が向上し、チャイルドロックスイッチ３１２の操作によりノズル洗浄用ノズル３の洗浄動作の開始の指示が無効となることにより、子供によるいたずら防止および誤操作防止が可能となる。さらに、ノズル洗浄用ノズル３による洗浄動作が終了した後に洗浄動作の終了が報知されるので、使用者は、洗浄動作の終了が報知されるまで、洗浄動作が継続していることを認識することができる。それにより、洗浄動作の継続中に、使用者が誤っておしりノズル１およびビデノズル２から洗浄水を噴出させることおよび誤っておしりノズル１およびビデノズル２から噴出された洗浄水触れることが防止される。したがって、安全性を確保しつつおしりノズル１およびビデノズル２を清潔に保つことができる。
【０１５４】
次に、図１７は、図１の遠隔操作装置の他の例を示す模式的平面図である。
図１７の遠隔操作装置３００ａが図２の瞬間加熱装置３００と異なるのは以下の点である。図１７に示すように、遠隔操作装置３００ａは、遠隔操作装置３００のスピーカ３１０および報知ランプ３１１の代わりに液晶表示部３１３を備える。
【０１５５】
それにより、液晶表示部３１３に文字、記号、図形等を用いて情報を表示させることができる。例えば、液晶表示部３１３に文字を用いて「ノズル除菌完了」と表示させることができる。その結果、使用者は、ノズル洗浄が終了し、衛生洗浄装置１００を安全に使用できることを視覚的に認識することができる。
【０１５６】
次に、図１８は、本発明に係る衛生洗浄装置に用いる瞬間加熱装置の他の例を示す一部切り欠き断面図である。
【０１５７】
図１８の瞬間加熱装置３３ａが図７の瞬間加熱装置３３と異なるのは以下の点である。
【０１５８】
図１８に示す瞬間加熱装置３３ａのケーシング５０４ａは、略長筒形状を有する。ケーシング５０４ａ内にシーズヒータ５０５が設けられており、シーズヒータ５０５の両端部はケーシング５０４ａの両端面から外部へ突出している。ケーシング５０４ａとシーズヒータ５０５との間に形成された円筒状の空間５１０ａが図７の配管５１０の役割を担う。
【０１５９】
上述したノズル洗浄時においては、図４の切替弁１４の洗浄水出口１４３ｅから供給される洗浄水が給水口５１１ａから筒状の空間５１０ａ内へ導入される。
【０１６０】
シーズヒータ５０５に電力が供給されると、シーズヒータ５０５により発生する熱によって筒状の空間５１０ａを流通する洗浄水が加熱され、ノズル洗浄用高温水またはノズル洗浄用蒸気が排出口５１２ａから排出される。
【０１６１】
この場合、瞬間加熱装置３３ａにおいては、瞬間加熱装置３３のように配管５１０を形成する必要がないため、コスト低減を図ることができる。また、シーズヒータ５０５と洗浄水とが直接熱交換を行うので、熱交換率を高くすることができる。
【０１６２】
なお、本実施例においては、ノズル洗浄時にノズル洗浄用ノズル３からノズル洗浄用高温水、ノズル洗浄用蒸気および洗浄水の順序でおしりノズル１およびビデノズル２に噴出させることとしたが、これに限定されず、ノズル洗浄用蒸気、ノズル洗浄用高温水および洗浄水を任意の順序でおしりノズル１およびビデノズル２に噴出させてもよい。例えば、ノズル洗浄用ノズル３からノズル洗浄用高温水、ノズル洗浄用蒸気、ノズル洗浄用高温水、洗浄水の順序でおしりノズル１およびビデノズル２に噴出させてもよい。
【０１６３】
さらに、本実施例においては、ホールＩＣ５１３ａ，５１３ｂを用いて便蓋５００の開閉に基づいて衛生洗浄装置１００の使用状態を検知しているが、これに限定されず、便座部４００の静電容量の変化に基づいて人体の有無を検知して衛生洗浄装置１００の使用状態を検知する方法、超音波を用いて人体の有無を検知して衛生洗浄装置１００の使用状態を検知する方法、トイレの扉の開閉に基づいて使用者の入室および退室を検知して衛生洗浄装置１００の使用状態を検知する方法、もしくはトイレ内の照明のオンオフに基づいて衛生洗浄装置１００の使用状態を検知する方法を利用してもよい。
【０１６４】
本実施例の衛生洗浄装置においては、おしりノズル１およびビデノズル２が人体洗浄ノズル装置に相当し、ノズル洗浄用ノズル３がノズル洗浄装置に相当し、着座センサ５１またはホールＩＣ１５３ａ，１５３ｄが状態検知手段または着座検知手段に相当し、制御部４が制御手段に相当し、瞬間加熱装置３３が加熱装置に相当し、ノズル洗浄用ノズル３が噴出装置に相当し、切替弁１４が流量調整手段に相当し、便座部４００が便座に相当し、着座センサ５１が光学的検知手段に相当し、便座スイッチ５５が荷重検出手段に相当し、ホールＩＣ１５３ａ，１５３ｄが便蓋開閉検知手段に相当し、ノズル洗浄スイッチ３０９が洗浄指示手段に相当し、遠隔操作装置３００，３００ａが遠隔操作装置に相当し、チャイルドロックスイッチ３１２が無効化手段に相当し、スピーカ３１０、報知ランプ３１１または液晶表示部３１３が報知手段に相当する。
【０１６５】
【発明の効果】
本発明によれば、衛生洗浄装置が未使用であることが検知された場合にノズル洗浄装置による人体洗浄ノズル装置の洗浄が許可されるので、衛生洗浄装置の使用時に、ノズル洗浄装置による洗浄水が人体に付着することが防止される。それにより、人体の衛生状態を確保しつつ人体洗浄ノズル装置を清潔に保つことができる。
【図面の簡単な説明】
【図１】本発明の一実施例の衛生洗浄装置を便器に装着した状態を示す斜視図
【図２】図１の遠隔操作装置の一例を示す模式的平面図
【図３】本発明の一実施例の衛生洗浄装置の本体部の構成を示す模式図
【図４】（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図５】図４の切替弁の動作を示す断面図
【図６】図５の切替弁の洗浄水出口からおしりノズルに流出する洗浄水の流量、洗浄水出口からビデノズルに流出する洗浄水の流量および洗浄水出口からノズル洗浄用ノズルに流出する洗浄水の流量を示す図
【図７】瞬間加熱装置の構造を示す一部切り欠き断面図
【図８】ノズル部の一部を示す外観斜視図
【図９】おしりノズルから人体の被洗浄面に向けて洗浄水が噴出される場合のノズル部の模式的断面図
【図１０】ノズル洗浄用ノズルからノズル洗浄用高温水またはノズル洗浄用蒸気が噴出される場合のノズル部の模式的断面図
【図１１】図１の衛生洗浄装置の本体部に設けられた自動開閉便座システムの模式的断面図
【図１２】図１１の自動開閉便座システムのＤ−Ｄ線断面図
【図１３】便蓋の自動開閉便蓋装置の動作を説明する図
【図１４】図１３の自動開閉便蓋装置の動作によりホールＩＣから制御部に送信される信号を示す図
【図１５】制御部の動作を示すフローチャート
【図１６】制御部の動作を示すフローチャート
【図１７】図１の遠隔操作装置の他の例を示す模式的平面図
【図１８】本発明に係る衛生洗浄装置に用いる瞬間加熱装置の他の例を示す一部切り欠き断面図
【符号の説明】
１  おしりノズル
２  ビデノズル
３  ノズル洗浄用ノズル
４  制御部
１４  切替弁
３３  瞬間加熱装置
５１  着座センサ
５５  便座スイッチ
１５３ａ，１５３ｄ  ホールＩＣ
３００，３００ａ  遠隔操作装置
３１０  スピーカ
３１１  報知ランプ
３１２  チャイルドロックスイッチ
３１３  液晶表示部
４００  便座部
【図１】
2004270134.tif 000003
【図２】
2004270134.tif 000004
【図３】
2004270134.tif 000005
【図４】
2004270134.tif 000006
【図５】
2004270134.tif 000007
【図６】
2004270134.tif 000008
【図７】
2004270134.tif 000009
【図８】
2004270134.tif 000010
【図９】
2004270134.tif 000011
【図１０】
2004270134.tif 000012
【図１１】
2004270134.tif 000013
【図１２】
2004270134.tif 000014
【図１３】
2004270134.tif 000015
【図１４】
2004270134.tif 000016
【図１５】
2004270134.tif 000017
【図１６】
2004270134.tif 000018
【図１７】
2004270134.tif 000019
【図１８】
2004270134.tif 000020